(57)【要約】【課題】  投写型映像表示装置と投写面との距離の短縮を図った投写型映像表示装置を用いて、投写映像とユーザとを組み合わせた新たな活用方法を実現する投写型映像表示装置及び映像表示システムを提供する。【解決手段】  投写型映像表示装置１００は、映像光生成部２００と、投写光学系３００とを有する。投写光学系３００は、反射ミラー３２０を有する。投写型映像表示装置１００は、投写領域２１０に近接する人を検出する人感センサ５００と、人感センサ５００の検出結果に応じて、投写領域２１０上に表示される映像を制御する映像制御部２５２とを備える。【選択図】  図３
2009276561.tif 000002
【特許請求の範囲】
【請求項１】
映像光を生成する映像光生成部と、前記映像光を投写面上に投写する投写光学系とを備えた投写型映像表示装置であって、
前記投写光学系は、前記映像光生成部から出射された前記映像光を反射する反射ミラーを有しており、
前記投写面に近接する人を検出する人感センサの検出結果に応じて、前記投写面上に表示される映像を制御する映像制御部を備えることを特徴とする投写型映像表示装置。
【請求項２】
前記人感センサは、人の移動を検出し、
前記映像制御部は、前記人感センサによって検出された人の移動に応じて、前記投写面内において映像を表示する表示位置を移動させることを特徴とする請求項１に記載の投写型映像表示装置。
【請求項３】
通行人が移動する所定経路に沿って設けられた複数の投写型映像表示装置を有する映像表示システムであって、
前記複数の投写型映像表示装置のそれぞれは、映像光を生成する映像光生成部と、前記複数の投写型映像表示装置のそれぞれに対応する投写面上に前記映像光を投写する投写光学系とを備えており、
前記投写光学系は、前記映像光生成部から出射された前記映像光を反射する反射ミラーを有しており、
前記複数の投写型映像表示装置のそれぞれは、前記投写面に近接する前記通行人を検出する人感センサの検出結果に応じて、前記投写面上に表示される映像を制御する映像制御部を備えており、
前記複数の投写型映像表示装置のそれぞれに設けられた前記映像制御部は、前記通行人の移動に伴って、前記投写面上に表示される映像を引き継ぐことを特徴とする映像表示システム。
【発明の詳細な説明】
【技術分野】
【０００１】
本発明は、映像光を投写する投写光学系を有する投写型映像表示装置及び映像表示システムに関する。
【背景技術】
【０００２】
従来、光源が発する光を変調する光変調素子と、光変調素子から出射される光を投写面（スクリーン）上に投写する投写レンズとを有する投写型映像表示装置が知られている。
【０００３】
ここで、スクリーン上に映像を大きく表示するためには、投写レンズとスクリーンとの距離を長くとる必要がある。これに対して、投写レンズから出射される光をスクリーン側に反射する反射ミラーを利用して、投写型映像表示装置とスクリーンとの距離の短縮を図った投写型表示システムが提案されている（例えば、特許文献１）。
【０００４】
ここで、投写型映像表示装置とスクリーンとの距離の短縮を図ると、投写型映像表示装置がスクリーンに近くなり、投写型映像表示装置がユーザの視野に入ることになるため、スクリーンの上下又は横から斜め投写を行う必要がある。例えば、上述した投写型表示システムでは、光変調素子と投写光学系との位置関係を上下方向にシフトするとともに、反射ミラーとして凹面ミラーを用いることにより、投写距離の短縮と斜め投写を行っている。
【特許文献１】特開２００６−２３５５１６号公報（請求項１、図１など）
【発明の開示】
【発明が解決しようとする課題】
【０００５】
ところで、投写距離の短縮を図った投写型映像表示装置の設置方法及び投写方法としては、投写型映像表示装置を床面や机上に設置して、その床面や机上に投写する方法など、新たな設置／投写方法が考えられる。一方で、新たな設置／投写方法をどのような場面で活用できるかについては、あまり考慮されていない。
【０００６】
そこで、本発明は、上述した課題を解決するためになされたものであり、投写型映像表示装置と投写面との距離の短縮を図った投写型映像表示装置を用いて、投写映像とユーザとを組み合わせた新たな活用方法を実現する投写型映像表示装置及び映像表示システムを提供することを目的とする。
【課題を解決するための手段】
【０００７】
第１の特徴に係る投写型映像表示装置は、映像光を生成する映像光生成部（映像光生成部２００）と、前記映像光を投写面上に投写する投写光学系（投写光学系３００）とを有する。前記投写光学系は、前記映像光生成部から出射された前記映像光を反射する反射ミラー（反射ミラー３２０）を有する。投写型映像表示装置は、前記投写面に近接する人を検出する人感センサ（人感センサ５００）の検出結果に応じて、前記投写面上に表示される映像を制御する映像制御部（映像制御部２５２）を備える。
【０００８】
第１の特徴によれば、映像制御部は、人感センサの検出結果に応じて、投写面上に表示される映像を制御する。従って、投写面上に表示される映像を見る人がいないケースにおいて、映像が不要に表示されることを抑制することができる。
【０００９】
第１の特徴において、前記人感センサは、人の移動を検出する。前記映像制御部は、前記人感センサによって検出された人の移動に応じて、前記投写面内において映像を表示する表示位置を移動させる。
【００１０】
第２の特徴に係る映像表示システムは、通行人が移動する所定経路に沿って設けられた複数の投写型映像表示装置を有する。前記複数の投写型映像表示装置のそれぞれは、映像光を生成する映像光生成部と、前記複数の投写型映像表示装置のそれぞれに対応する投写面上に前記映像光を投写する投写光学系とを備える。前記投写光学系は、前記映像光生成部から出射された前記映像光を反射する反射ミラーを有する。前記複数の投写型映像表示装置のそれぞれは、前記投写面に近接する前記通行人を検出する人感センサの検出結果に応じて、前記投写面上に表示される映像を制御する映像制御部を備える。前記複数の投写型映像表示装置のそれぞれに設けられた前記映像制御部は、前記通行人の移動に伴って、前記投写面上に表示される映像を引き継ぐ。
【発明の効果】
【００１１】
本発明によれば、投写型映像表示装置と投写面との距離の短縮を図った投写型映像表示装置を用いて、投写映像とユーザとを組み合わせた新たな活用方法を実現する投写型映像表示装置及び映像表示システムを提供することができる。
【発明を実施するための最良の形態】
【００１２】
以下において、本発明の実施形態に係る投写型映像表示装置について、図面を参照しながら説明する。なお、以下の図面の記載において、同一又は類似の部分には、同一又は類似の符号を付している。
【００１３】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１４】
［第１実施形態］
（投写型映像表示装置の配置）
以下において、第１実施形態に係る投写型映像表示装置の配置について、図面を参照しながら説明する。図１は、第１実施形態に係る投写型映像表示装置１００の配置を示す図である。図１に示すように、投写型映像表示装置１００は、通行人が通行する所定経路などの壁内に設けられている。投写型映像表示装置１００は、所定経路などの路面に設けられた投写領域２１０上に映像を表示する。
【００１５】
また、所定経路などの壁には、複数の人感センサ５００（人感センサ５００ａ及び人感センサ５００ｂ）が設けられている。
【００１６】
人感センサ５００は、投写領域２１０に近接する人（通行人）を検出する。人感センサ５００の検出結果は、投写型映像表示装置１００に送信される。
【００１７】
ここで、人感センサ５００は、所定経路などを通行する人（通行人）の移動を検出することが好ましい。
【００１８】
（投写型映像表示装置の構成）
以下において、第１実施形態に係る投写型映像表示装置の構成について、図面を参照しながら説明する。図２は、第１実施形態に係る投写型映像表示装置１００の構成を示す図である。
【００１９】
図２に示すように、投写型映像表示装置１００は、映像光生成部２００と投写光学系３００とを収容する筐体４００を有する。第１実施形態では、筐体４００の一部は、防護カバー４００ａを構成する。
【００２０】
映像光生成部２００は、映像光を生成する。具体的には、映像光生成部２００は、映像光を出射する表示素子４０を少なくとも有する。表示素子４０は、投写光学系３００の光軸Ｌに対してシフトした位置に設けられている。表示素子４０が光軸Ｌからシフトした位置に設けられることによって映像光の斜め投写が実現される。表示素子４０は、例えば、反射型液晶パネル、透過型液晶パネル、ＤＭＤ（Ｄｉｇｉｔａｌ  Ｍｉｃｒｏｍｉｒｒｏｒ  Ｄｅｖｉｃｅ）などである。映像光生成部２００の詳細については後述する（図３を参照）。
【００２１】
投写光学系３００は、映像光生成部２００から出射された映像光を投写する。ここで、投写光学系３００は、投写領域２１０上に映像光を投写する。具体的には、投写光学系３００は、投写レンズ３１０と、反射ミラー３２０とを有する。
【００２２】
投写レンズ３１０は、映像光生成部２００から出射された映像光を反射ミラー３２０側に出射する。
【００２３】
反射ミラー３２０は、投写レンズ３１０から出射された映像光を反射する。反射ミラー３２０は、映像光を集光した上で、映像光を広角化する。例えば、反射ミラー３２０は、映像光生成部２００側に凹面を有する非球面ミラーである。
【００２４】
防護カバー４００ａは、反射ミラー３２０を保護するカバーである。防護カバー４００ａは、少なくとも、反射ミラー３２０で反射された映像光の光路上に設けられている。防護カバー４００ａは、映像光を透過する透過領域４１０を有する。
【００２５】
このように、投写光学系３００は、透過領域４１０を透過した映像光を投写領域２１０上に投写する。
【００２６】
（映像光生成部の構成）
以下において、第１実施形態に係る映像光生成部の構成について、図面を参照しながら説明する。図３は、第１実施形態に係る映像光生成部２００及び投写光学系３００を示す図である。映像光生成部２００は、図３に示した構成に加えて、電源回路（不図示）、映像信号処理回路（不図示）などを有する。ここでは、表示素子４０が透過型液晶パネルであるケースについて例示する。
【００２７】
映像光生成部２００は、光源１０と、フライアイレンズユニット２０と、ＰＢＳアレイ３０と、複数の液晶パネル４０（液晶パネル４０Ｒ、液晶パネル４０Ｇ、液晶パネル４０Ｂ）と、クロスダイクロイックプリズム５０とを有する。
【００２８】
また、映像光生成部２００は、ミラー群（ダイクロイックミラー１１１、ダイクロイックミラー１１２、反射ミラー１２１〜反射ミラー１２３）と、レンズ群（コンデンサレンズ１３１、コンデンサレンズ１４０Ｒ、コンデンサレンズ１４０Ｇ、コンデンサレンズ１４０Ｂ、リレーレンズ１５１、リレーレンズ１５２）とを有する。
【００２９】
光源１０は、バーナ及びリフレクタによって構成される超高圧水銀ランプ（ＵＨＰランプ）などである。光源１０が発する光は、赤成分光、緑成分光及び青成分光を含む。
【００３０】
フライアイレンズユニット２０は、光源１０が発する光を均一化する。すなわち、フライアイレンズユニット２０は、光源１０が発する光のうち、中央部分光と周辺部分光との光量差を均一化する。具体的には、フライアイレンズユニット２０は、フライアイレンズ２０ａ及びフライアイレンズ２０ｂによって構成される。
【００３１】
フライアイレンズ２０ａ及びフライアイレンズ２０ｂは、それぞれ、複数の微少レンズによって構成される。各微少レンズは、光源１０が発する光が液晶パネル４０の全面に照射されるように、光源１０が発する光を導く。
【００３２】
ＰＢＳアレイ３０は、フライアイレンズユニット２０から出射された光の偏光状態を揃える。第１実施形態では、ＰＢＳアレイ３０は、フライアイレンズユニット２０から出射された光をＰ偏光に揃える。
【００３３】
ダイクロイックミラー１１１は、ＰＢＳアレイ３０から出射された光のうち、赤成分光及び緑成分光を透過する。ダイクロイックミラー１１１は、ＰＢＳアレイ３０から出射された光のうち、青成分光を反射する。
【００３４】
ダイクロイックミラー１１２は、ダイクロイックミラー１１１を透過した光のうち、赤成分光を透過する。ダイクロイックミラー１１２は、ダイクロイックミラー１１１を透過した光のうち、緑成分光を反射する。
【００３５】
反射ミラー１２１は、青成分光を反射して青成分光を液晶パネル４０Ｂ側に導く。反射ミラー１２２及び反射ミラー１２３は、赤成分光を反射して赤成分光を液晶パネル４０Ｒ側に導く。
【００３６】
コンデンサレンズ１３１は、光源１０が発する白色光を集光するレンズである。
【００３７】
コンデンサレンズ１４０Ｒは、液晶パネル４０Ｒに赤成分光が照射されるように、赤成分光を略平行光化する。コンデンサレンズ１４０Ｇは、液晶パネル４０Ｇに緑成分光が照射されるように、緑成分光を略平行光化する。コンデンサレンズ１４０Ｂは、液晶パネル４０Ｂに青成分光が照射されるように、青成分光を略平行光化する。
【００３８】
リレーレンズ１５１、リレーレンズ１５２は、赤成分光の拡大を抑制しながら、液晶パネル４０Ｒ上に赤成分光を略結像する。
【００３９】
液晶パネル４０Ｒは、赤成分光の偏光方向を回転させることによって赤成分光を変調する。液晶パネル４０Ｒの光入射面側には、一方の偏光方向（例えば、Ｐ偏光）を有する光を透過して、他方の偏光方向（例えば、Ｓ偏光）を有する光を遮光する入射側偏光板４１Ｒが設けられている。液晶パネル４０Ｒの光出射面側には、一方の偏光方向（例えば、Ｐ偏光）を有する光を遮光して、他方の偏光方向（例えば、Ｓ偏光）を有する光を透過する出射側偏光板４２Ｒが設けられている。
【００４０】
同様に、液晶パネル４０Ｇ及び液晶パネル４０Ｂは、それぞれ、緑成分光及び青成分光の偏光方向を回転させることによって緑成分光及び青成分光を変調する。液晶パネル４０Ｇの光入射面側には、入射側偏光板４１Ｇが設けられており、液晶パネル４０Ｇの光出射面側には、出射側偏光板４２Ｇが設けられている。液晶パネル４０Ｂの光入射面側には、入射側偏光板４１Ｂが設けられており、液晶パネル４０Ｂの光出射面側には、出射側偏光板４２Ｂが設けられている。
【００４１】
クロスダイクロイックプリズム５０は、液晶パネル４０Ｒ、液晶パネル４０Ｇ及び液晶パネル４０Ｂから出射された光を合成する。クロスダイクロイックプリズム５０は、投写レンズ３１０側に合成光を出射する。
【００４２】
（投写型映像表示装置の機能）
以下において、第１実施形態に係る投写型映像表示装置の機能について、図面を参照しながら説明する。図４は、第１実施形態に係る投写型映像表示装置１００に設けられた制御ユニット２５０を示すブロック図である。制御ユニット２５０は、映像光生成部２００に設けられる。
【００４３】
図４に示すように、制御ユニット２５０は、取得部２５１と、映像制御部２５２とを有する。
【００４４】
取得部２５１は、ＤＶＤ再生装置などの外部機器６００から映像データを取得する。映像データは、投写領域２１０上に映像を表示するためのデータである。投写領域２１０上に表示される映像は、所定経路などを通行する通行人に対する広告などを含む。
【００４５】
映像制御部２５２は、投写領域２１０上に表示される映像を制御する。すなわち、映像制御部２５２は、表示素子４０（液晶パネル４０Ｒ、液晶パネル４０Ｇ、液晶パネル４０Ｂ）を制御する。
【００４６】
具体的には、映像制御部２５２は、人感センサ５００の検出結果に応じて、取得部２５１によって取得された映像データを用いて、投写領域２１０上に映像を表示する。すなわち、映像制御部２５２は、人（通行人）が投写領域２１０に近接した場合に、投写領域２１０上に映像を表示する。
【００４７】
ここで、映像制御部２５２は、人感センサ５００によって検出された人（通行人）の移動に応じて、投写領域２１０内において映像を表示する表示位置を移動させることが好ましい。
【００４８】
さらに、映像制御部２５２は、人（通行人）の移動速度に応じて、表示位置の移動速度を変更することが好ましい。例えば、映像制御部２５２は、人（通行人）の移動速度が速い場合には、表示位置の移動速度を速くする。
【００４９】
（映像の表示例）
以下において、第１実施形態に係る映像の表示例について、図面を参照しながら説明する。図５は、第１実施形態に係る映像の表示例を示す図である。なお、図５では、ユーザＸがＡ方向に移動するケースについて考える。
【００５０】
最初に、ユーザＸが投写領域２１０に近接した場合に、投写型映像表示装置１００は、投写領域２１０上に映像Ｙ（映像Ｙ１）を表示する。続いて、投写型映像表示装置１００は、ユーザＸの移動方向（Ａ方向）に沿って、投写領域２１０上において映像Ｙを映像Ｙ１から映像Ｙ４まで表示位置を移動させる。
【００５１】
なお、ユーザＸが左右方向に移動した場合には、投写型映像表示装置１００は、ユーザＸに追従して、左右方向に表示位置を移動させることが好ましい。
【００５２】
（作用及び効果）
第１実施形態では、映像制御部２５２は、人感センサ５００の検出結果に応じて、投写領域２１０上に表示される映像を制御する。具体的には、映像制御部２５２は、投写領域２１０に人が近接した場合に、投写領域２１０上に映像を表示する。従って、投写領域２１０上に表示される映像を見る人がいないケースにおいて、映像が不要に表示されることを抑制することができる。
【００５３】
また、映像制御部２５２は、人の移動に応じて、投写領域２１０内において映像を表示する表示位置を移動させる。従って、投写領域２１０上に表示される映像を移動中の人が見やすい。
【００５４】
［第２実施形態］
以下において、第２実施形態について、図面を参照しながら説明する。以下においては、第１実施形態と第２実施形態との相違点について主として説明する。
【００５５】
第２実施形態では、映像表示システムは、所定経路に沿って設けられた複数の投写型映像表示装置を有する。複数の投写型映像表示装置が投写面上に表示する映像は、人（通行人）の移動に伴って引き継がれる。
【００５６】
（映像表示システムの構成）
以下において、第２実施形態に係る映像表示システムの構成について、図面を参照しながら説明する。図６は、第２実施形態に係る映像表示システムを示す図である。
【００５７】
図６に示すように、映像表示システムは、所定経路に沿って設けられた複数の投写型映像表示装置１００（投写型映像表示装置１００ａ〜投写型映像表示装置１００ｃ）を有する。
【００５８】
各投写型映像表示装置１００は、第１実施形態と同様に、通行人が通行する所定経路などの壁内に設けられている。各投写型映像表示装置１００は、所定経路などの路面に設けられた投写領域２１０（投写領域２１０ａ〜投写領域２１０ｃ）上に映像を表示する。各投写型映像表示装置１００は、ＬＡＮなどのネットワークを介して接続されている。
【００５９】
所定経路などの壁には、第１実施形態と同様に、複数の人感センサ５００（人感センサ５００ａ〜人感センサ５００ｄ）が設けられている。
【００６０】
（投写型映像表示装置の機能）
以下において、第２実施形態に係る投写型映像表示装置の機能について、図面を参照しながら説明する。図７は、第２実施形態に係る投写型映像表示装置１００に設けられた制御ユニット２５０Ａを示すブロック図である。制御ユニット２５０Ａは、映像光生成部２００に設けられる。なお、図７では、図４と同様の構成について同様の符号を付している。
【００６１】
図７に示すように、制御ユニット２５０Ａは、図４に示した構成に加えて、通信部２５３を有する。通信部２５３は、ネットワーク７００に接続される。通信部２５３は、他の投写型映像表示装置１００が投写領域２１０上に表示する映像の状態をネットワークから取得する。映像の状態は、映像の内容、映像の表示の進捗状態などである。なお、前記他の投写型映像表示装置１００は、ユーザの到来方向において自装置に隣接する投写型映像表示装置１００を示している。
【００６２】
上述した映像制御部２５２は、通信部２５３によって取得された映像の状態に基づいて、他の投写型映像表示装置１００から投写領域２１０上に表示される映像を引き継ぐ。
【００６３】
具体的には、映像制御部２５２は、自装置の投写領域２１０に近接する人が検出された場合に、他の投写型映像表示装置１００と同じ映像の内容を特定する。また、映像制御部２５２は、他の投写型映像表示装置１００が表示する映像の表示の進捗状態を特定する。続いて、映像制御部２５２は、他の投写型映像表示装置１００が表示した映像の続きから、自装置に対応する投写領域２１０上において映像を表示する。
【００６４】
（映像の表示例）
以下において、第２実施形態に係る映像の表示例について、図面を参照しながら説明する。図８は、第２実施形態に係る映像の表示例を示す図である。なお、図８では、ユーザＸがＡ方向に移動するケースについて考える。
【００６５】
最初に、ユーザＸが投写領域２１０ａに近接した場合に、投写型映像表示装置１００ａは、投写領域２１０ａ上に映像Ｙ（映像Ｙ１）を表示する。続いて、投写型映像表示装置１００ａは、ユーザＸの移動方向（Ａ方向）に沿って、投写領域２１０ａ上において映像Ｙを映像Ｙ１から映像Ｙ４まで表示位置を移動させる。
【００６６】
次に、ユーザＸが投写領域２１０ｂに近接した場合に、投写型映像表示装置１００ｂは、投写領域２１０ｂ上に映像Ｙ（映像Ｙ５）を表示する。ここで、投写型映像表示装置１００ｂは、映像Ｙ４の続きから映像Ｙを表示する。続いて、投写型映像表示装置１００ｂは、ユーザＸの移動方向（Ａ方向）に沿って、投写領域２１０ｂ上において映像Ｙを映像Ｙ５から映像Ｙ８まで表示位置を移動させる。
【００６７】
（作用及び効果）
第２実施形態では、各投写型映像表示装置１００は、人（通行人）の移動に伴って、投写面上に表示する映像を引き継ぐ。従って、複数の投写型映像表示装置１００によって表示される映像に一連の流れを持たせることができる。
【００６８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６９】
上述した実施形態では特に触れていないが、防護カバー４００ａは、反射ミラー３２０から投写領域２１０側に連通する開口を有していてもよい。透過領域４１０は、このような開口であってもよい。
【００７０】
上述した実施形態では特に触れていないが、防護カバー４００ａの少なくとも一部は、透明樹脂やガラスなどの光透過性部材によって構成されていてもよい。透過領域４１０は、このような光透過性部材によって構成されていてもよい。
【００７１】
上述した実施形態では特に触れていないが、透過領域４１０は、反射ミラー３２０によって映像光が集光される位置近傍に設けられることが好ましい。これによって、透過領域４１０のサイズを小さくすることができる。例えば、透過領域４１０が開口である場合には、防護カバー４００ａ内に埃などが入りにくい。透過領域４１０が光透過性部材によって構成されている場合には、光透過性部材に傷がつきにくい。
【００７２】
上述した実施形態では、反射ミラー３２０として非球面ミラーを用いるケースについて例示したが、反射ミラー３２０はこれに限定されるものではない。例えば、反射ミラー３２０として自由曲面ミラーを用いてもよい。収差や解像度について工夫をすれば、反射ミラー３２０として球面ミラーを用いてもよい。
【００７３】
上述した実施形態では、映像光生成部２００の構成として複数の表示素子４０を用いるケース（３板式）について例示したが、映像光生成部２００の構成はこれに限定される物ではない。映像光生成部２００の構成として単数の表示素子４０を用いてもよい（単板式）。
【００７４】
上述した実施形態では、投写型映像表示装置１００が所定経路の壁内に設けられているが、投写型映像表示装置１００の配置は、これに限定されるものではない。投写型映像表示装置１００は、天井や床などに設けられていてもよい。
【００７５】
上述した実施形態では、投写領域２１０が所定経路の床面に設けられているが、投写領域２１０の位置は、これに限定されるものではない。投写領域２１０は、壁面や天井面に設けられていてもよい。
【００７６】
上述した実施形態では、投写型映像表示装置１００が所定経路に設けられているケースについて例示したに過ぎない。投写型映像表示装置１００は、ホテルなどの施設のトイレ、庭園、博物館、植物園、動物園などのように、様々な場所に設置可能である。
【００７７】
上述した実施形態では、人感センサ５００が所定経路などの壁に設けられているが、人感センサ５００の配置は、これに限定されるものではない。具体的には、人感センサ５００は、投写型映像表示装置１００に設けられていてもよい。人感センサ５００は、床や天井に設けられていてもよい。
【００７８】
上述した第２実施形態では特に触れていないが、通信部２５３は、他の投写型映像表示装置１００によって表示される映像の状態を他の投写型映像表示装置１００から直接的に取得してもよい。また、通信部２５３は、他の投写型映像表示装置１００によって表示される映像の状態を管理サーバから取得してもよい。なお、管理サーバは、複数の投写型映像表示装置１００によって表示される映像の状態を管理するサーバである。
【００７９】
各実施形態によれば、上述したように、反射ミラー３２０を設けることによって、投写型映像表示装置と投写面との距離が短縮される。従って、投写型映像表示装置と投写面との間に人などが入り込んで、映像光が遮られることを抑制することができる。また、光源１０としてレーザを用いた場合に、レーザ光（映像光）が人に照射される可能性を低減することができる。
【図面の簡単な説明】
【００８０】
【図１】第１実施形態に係る投写型映像表示装置１００を示す図である。
【図２】第１実施形態に係る投写型映像表示装置１００の断面を示す図である。
【図３】第１実施形態に係る映像光生成部２００及び投写光学系３００の構成を示す図である。
【図４】第１実施形態に係る制御ユニット２５０について示す図である。
【図５】第１実施形態に係る表示例について示す図である。
【図６】第２実施形態に係る映像表示システムを示す図である。
【図７】第２実施形態に係る制御ユニット２５０Ａを示す図である。
【図８】第２実施形態に係る表示例について示す図である。
【符号の説明】
【００８１】
１０・・・光源、２０・・・フライアイレンズユニット、３０・・・ＰＢＳアレイ、４０・・・表示素子、４１・・・入射側偏向板、４２・・・出射側偏向板、５０・・・クロスダイクロイックプリズム、１００・・・投写型映像表示装置、１１１・・・ダイクロイックミラー、１１２・・・ダイクロイックミラー、１２１〜１２３・・・反射ミラー、１３１・・・コンデンサレンズ、１４０・・・コンデンサレンズ、１５１〜１５２・・・リレーレンズ、２００・・・映像光生成部、２１０・・・投写領域、２５０・・・制御ユニット、２５１・・・取得部、２５２・・・映像制御部、２５３・・・通信部、３００・・・投写光学系、３１０・・・投写レンズ、３２０・・・反射ミラー、４００・・・筐体、４００ａ・・・防護カバー、４１０・・・透過領域、５００・・・人感センサ、６００・・・外部機器、７００・・・ネットワーク
【図１】
2009276561.tif 000003
【図２】
2009276561.tif 000004
【図３】
2009276561.tif 000005
【図４】
2009276561.tif 000006
【図５】
2009276561.tif 000007
【図６】
2009276561.tif 000008
【図７】
2009276561.tif 000009
【図８】
2009276561.tif 000010